(57)【特許請求の範囲】
【請求項１】
原稿面を読取窓に対向させた状態で通過させながら原稿面の画像を読み取るシートスルー方式の画像読取装置であって、
定型原稿を読み取る第１のモードと定型原稿よりも長い長尺原稿を読取る第２のモードとを切り換える切換手段と、
前記原稿面の画像をプレスキャンするプレスキャンモードと、
前記プレスキャンされた画像を表示するとともにこの表示された画像を所定のサイズで分割する分割線を表示する分割線表示手段を含む画像表示手段とを備え、前記切換手段によって第２のモードに切り換えられたときは前記プレスキャンモードが選択され、
前記プレスキャンモードによりプレスキャンされた画像が前記分割線とともに前記画像表示手段により表示されるようにしたことを特徴とする画像読取装置。
【請求項２】
前記画像表示手段は、前記分割線の位置を前記所定のサイズから変更する分割線変更手段を備えたことを特徴とする請求項１記載の画像読取装置。
【請求項３】
前記画像表示手段は、前記分割線で分割された各セクションに頁番号を付与する頁番号付与手段を備えたことを特徴とする請求項１乃至２記載の画像読取装置。
【請求項４】
前記画像表示手段は、前記分割線で分割された隣接した各セクション間で一部重複した糊代部分を形成する糊代形成手段をを備えたことを特徴とする請求項１乃至３記載の画像読取装置。
【請求項５】
前記画像表示手段により表示された分割条件を登録する分割登録手段と、前記長尺原稿を本スキャンし前記分割登録手段に登録された分割条件に従って前記各セクションの画像データを分割記憶する分割読取制御手段備えたことを特徴とする請求項１乃至４記載の画像読取装置。
【請求項６】
前記画像表示手段は、前記分割線表示手段の表示を解除するとともに前記長尺原稿の全長を表示する原稿長表示手段を備えたことを特徴とする請求項１記載の画像読取装置。
【請求項７】
請求項５記載の画像読取装置を備えた画像形成装置であって、複数の定型用紙に前記分割読取制御手段により分割記憶された各セクションを分割して出力するようにしたことを特徴とする画像形成装置。
【請求項８】
請求項６記載の画像読取装置を備えた画像形成装置であって、単数の長尺紙に前記長尺原稿の全長を出力するようにした長尺紙出力モードを備えたことを特徴とする画像形成装置。
【発明の詳細な説明】
【０００１】
【発明の属する技術分野】
本発明は、所定サイズの定形原稿に限らず、Ａ４，Ａ３等の定形原稿よりも長い長尺原稿をも適用が可能な画像読取装置およびそれを有する画像形成装置に関するものである。
【０００２】
【従来の技術】
従来より、工業用の複写機では、原稿シートをスキャン速度にあわせて移動させて読み取るシートスルー方式の画像読取部と、ロール紙をカットしながら供給する給紙部および長尺紙に画像形成する画像形成部を備えており、長尺図面や横断幕のような長尺の原稿をコピーすることが可能である。例えばＡ０版等の長尺原稿を作業者が画像読取部にセットすれば、原稿と同じ長尺のコピー物が自動的に出来上がるようになっている。そして一般的には長尺のコピー物は専用のケースや棚に保管され、必要時にはそこから取り出して閲覧するようになっている。
【０００３】
【発明が解決しようとする課題】
しかし、工業用の複写機は高価であり、大型であるため、一般の事務所では入手しにくいものである。また一般のユーザーはそれほど大きな長尺原稿をコピーすることはなく、最大Ａ３短辺の幅がコピーできれば十分である。また長尺紙にコピーすると丸めて保管することになり、通常そのようなコピー物を収容する場所がなく、配布資料としても不適切であるため、カット紙に分割してコピーすることも望まれている。このような場合には、分割位置が予め判れば分割部分が図や写真の上に位置しないようにでき便利である。また、分割シート毎に分割位置を調整できれば便利である。また分割位置が図や文章の途中になってしまう場合、分割位置前後のシートに重複部分がコピーされると前後の関係が理解しやすいし、後から繋げて使用する場合の糊代にもなり便利である。一方頻度は低いが、Ａ３短辺幅程度の垂れ幕や横断幕のような室内に掲示する掲示物をコピーする需要は存在する。このような需要に対しては、オプションの長尺紙給紙装置で対応できるようにすればよい。
【０００４】
本発明は、上記のごとき課題に鑑みてなされたものであり、本発明の第１の目的は、長尺原稿を読み取りその分割を指示できる、最大用紙幅がＡ３短辺程度の汎用目的の小型の画像読取装置、及び上記の分割出力が可能な画像形成装置の提供である。また第２の目的は、さらに上記に加えて長尺原稿全体を分割せずに読み取れる画像読取装置、及び長尺原稿全体の画像を出力できる画像形成装置の提供である。
【０００５】
【課題を解決するための手段】
上記目的を達成するため、請求項１の発明は、原稿面を読取窓に対向させた状態で通過させながら原稿面の画像を読み取るシートスルー方式の画像読取装置であって、定型原稿を読み取る第１のモードと定型原稿よりも長い長尺原稿を読取る第２のモードとを切り換える切換手段と、前記原稿面の画像をプレスキャンするプレスキャンモードと、前記プレスキャンされた画像を表示するとともにこの表示された画像を所定のサイズで分割する分割線を表示する分割線表示手段を含む画像表示手段とを備え、前記切換手段によって第２のモードに切り換えられたときは前記プレスキャンモードが選択され、前記プレスキャンモードによりプレスキャンされた画像が前記分割線とともに前記画像表示手段により表示されるようにしたことを特徴としている。
【０００６】
この構成によれば、シートスルー方式の画像読取装置において、定型原稿を読み取る第１のモードと定型原稿よりも長い長尺原稿を読取る第２のモードとを備え、切換手段によって第１のモードから第２のモードに切り換えるとプレスキャンモードに切り換わり、長尺原稿の１パス目はプレスキャンされ、プレスキャンされた画像が所定のサイズで分割した分割線とともに画像表示手段によりディスプレイに表示される。これにより、ユーザーが長尺原稿を分割読取する前にその分割位置が適切かどうか前もって確認でき、不適切な分割がなされた画像を消去したり、無駄なコピーを行なって紙を無駄にするようなことが避けられる。
【０００７】
また請求項２の発明は、請求項１記載の画像読取装置において、前記画像表示手段は、前記分割線の位置を前記所定のサイズから変更する分割線変更手段を備えたことを特徴としている。
この構成によれば、分割線の位置をディスプレイ上で変更することができ、原稿の先端位置を調整するような手間がかからず省力的で便利である。
【０００８】
また請求項３の発明は、請求項１または２記載の画像読取装置において、前記画像表示手段は、前記分割線で分割された各セクションに頁番号を付与する頁番号付与手段を備えたことを特徴としている。
この構成によれば、分割線で分割された各セクションに頁番号を付与するので、分割された原稿の本来の並び順が一目でわかり、便利である。
【０００９】
また請求項４の発明は、請求項１乃至３記載の画像読取装置において、前記画像表示手段は、前記分割線で分割された隣接した各セクション間で一部重複した糊代部分を形成する糊代形成手段を備えたことを特徴としている。
この構成によれば、分割位置が図や文章の途中になってしまう場合、分割位置前後のシートに重複部分がコピーされると前後の関係が理解しやすいし、後から繋げて使用する場合の糊代にもなる。
【００１０】
また請求項５の発明は、請求項１乃至４記載の画像読取装置において、前記画像表示手段により表示された分割条件を登録する分割登録手段と、前記長尺原稿を本スキャンし前記分割登録手段に登録された分割条件に従って前記各セクションの画像データを分割記憶する分割読取制御手段備えたことを特徴としている。この構成によれば、原稿１パス目のプレスキャンで設定した分割条件を２パス目の本スキャンで実施でき、さらに同様の原稿を継続してスキャンする場合は、この登録された条件をプレスキャンなしにそのまま使用することができるため、以降のプレスキャンの手間が省かれる。
【００１１】
また請求項６の発明は、請求項１記載の画像読取装置において、前記画像表示手段は、前記分割線表示手段の表示を解除するとともに前記長尺原稿の全長を表示する原稿長表示手段を備えたことを特徴としている。
この構成によれば、長尺記録紙の給紙装置を備えた画像形成装置で長尺記録紙に出力する場合には、プレスキャンにより長尺原稿の全長を表示することで、必要な記録紙の長さがわかり、本スキャンの前に記録紙を準備することができる。
【００１２】
また請求項７の発明は、請求項５記載の画像読取装置を備えた画像形成装置であって、複数の定型用紙に前記分割読取制御手段により分割記憶された各セクションを分割して出力するようにしたことを特徴としている。
【００１３】
この構成によれば、ユーザーが長尺原稿を分割読取する前にその分割位置が適切かどうか前もって確認でき、不適切な分割がなされた画像を消去したり、無駄なコピーを行なって紙を無駄にするようなことが避けられる。また、分割線の位置をディスプレイ上で変更することができ、原稿の先端位置を調整するような手間がかからず省力的で便利である。また、分割線で分割された各セクションに頁番号を付与するので、分割された原稿の本来の並び順が一目でわかり、便利である。また、分割位置が図や文章の途中になってしまう場合、分割位置前後のシートに重複部分がコピーされると前後の関係が理解しやすいし、後から繋げて使用する場合の糊代にもなる。また、原稿１パス目のプレスキャンで設定した分割条件を２パス目の本スキャンで実施でき、さらに同様の原稿を継続してスキャンする場合は、この登録された条件をプレスキャンなしにそのまま使用することができるため、以降のプレスキャンの手間が省かれる。
【００１４】
また請求項８の発明は、請求項６記載の画像読取装置を備えた画像形成装置であって、単数の長尺紙に前記長尺原稿の全長を出力するようにした長尺紙出力モードを備えたことを特徴としている。
この構成によれば、長尺記録紙の給紙装置を備えた画像形成装置で長尺記録紙に出力する場合には、プレスキャンにより長尺原稿の全長を表示することで、必要な記録紙の長さがわかり、本スキャンの前に記録紙を準備することができる。
【００１５】
【発明の実施の形態】
以下，添付図面を参照して，本発明の実施の形態につき説明し，本発明の理解に供する。なお，以下の実施の形態は，本発明の具体的な例であって，本発明の技術的範囲を限定する性格のものではない。
【００１６】
図１は、本発明で使用する画像形成装置の一例であるデジタル複写機を示す概略断面図である。
デジタル複写機１は、中央付近に画像形成部２、その下部に給紙部３を備え、画像形成部２の上部には原稿読取部６が配置されている。画像形成部１には、感光体ドラム１１がその中央部に配置され図中時計回りに回転され、図面右側から供給される用紙に転写するトナー像が感光体ドラム１１上に形成される。
【００１７】
感光体ドラム１１はその上部の帯電部１２で表面が一様に帯電され、レーザ光学部１３から画像信号により明滅されるレーザ光でスキャンされて表面に静電潜像が形成され、現像部１４によりトナーで現像される。さらに転写部１５において感光体ドラム１１に形成されたトナー像が、レジストローラ１６により所定のタイミングで送り込まれた用紙上面に転写される。トナー画像が転写された用紙は、図中左側の定着ローラ１７へ搬送され、用紙表面にトナーが熱定着されて、排紙ローラ１８により排紙トレイ１９に排出される。
【００１８】
給紙部３は、通常使用される定型にカットされた用紙を画像形成部２へ供給するものである。用紙トレイ３１にはＡ３、Ａ４などの定型の用紙が積載されており、給紙ローラ３２により最上部用紙が１枚ずつ捌かれて給紙される。給紙ローラ３２により給紙された用紙は、縦搬送路３３を搬送ローラ３４、３５により上へ搬送され、さらに横搬送路３６を搬送ローラ３７によりレジストローラ１６へ運ばれる。用紙はレジストローラ１６により転写部１５てトナーの転写を受けて定着ローラ１７で熱定着される。
【００１９】
この用紙の両面に画像形成する場合には、転写部１５の後にある分岐爪４１が変位（図中点線）して定着後の用紙は下方に進路変更され、ローラ４２によりスイッチバック路４３へ送られる。用紙後端がローラ４２を通過する前にローラ４２が用紙後端を咥えたまま逆転し、分岐爪４４の移動（図中点線）により、用紙先端は画像形成部２と給紙部３の間に位置する還送路４５を、ローラ４６によりデジタル複写機１右側部の縦搬送路３３へ送られる。さらに横搬送路３６へ送られた用紙はこんどは裏面が上向きとなっている。レジストローラ１６により転写部１５に送られた用紙は、裏面にトナーの転写を受け、定着ローラ１７により定着され、排紙ローラ１８により排紙トレイ１９に排出される。
【００２０】
またデジタル複写機１右側部には、手差し給紙部５が設けられ、給紙台５１上に積載されたカット用紙束上面に当接されて用紙束上部を給紙方向に寄せるゴム製の寄せローラ５５と寄せられた複数用紙を１枚ずつ給送するゴム製の分離給紙ローラ対５２により、１枚ずつ横搬送路３６に送りこむようになっている。手差し給紙が行なわれると、給紙部３の用紙と同様に、用紙は搬送ローラ３７、レジストローラ１６により横搬送路３６を搬送され、所定のタイミングで転写部１５でトナーの転写を受け定着ローラ１７にて定着された後、排紙ローラ１８により排紙トレイ１９に排出されるか、分岐爪４１の回転により進路を変更して用紙裏面に画像が形成されるようになっている。用紙裏面に画像が形成される場合は、以後は給紙部３から給紙された用紙と同様であるため、説明を省く。
【００２１】
また本発明に使用するデジタル複写機１は、後述する定型原稿を読み取る第１のモードと定型原稿よりも長い長尺原稿を読取る第２のモードとを備えており、第２のモードにおいて長尺原稿の全体画像を長尺紙に出力することもできるようになっている（長尺紙出力モード）。そのため、手差し給紙部５の給紙台５１の外側端に長尺紙ホルダー９１がオプションで取り付けられるようになっている。長尺紙ホルダー９１は、図２（ａ）に示すように、Ｊ字を左方向に倒したような形状のガイド部材であり、給紙台５１外側端に延長されて取り付けられる。この長尺紙ホルダー９１は、定型用紙の最大長より長尺紙が、その後端が給紙台５１の外側端から垂れ下がって落下しないように、ホルダー９１内部に長尺紙後端側を湾曲あるいは巻き込んで収納するようになっており、長尺紙先端がローラ対５２によってデジタル複写機１内に侵入するにつれて、用紙後端側が徐徐に繰り出されるようになっている。またこの長尺紙ホルダー９１には、カーソル９３が設けられ、長尺紙が真直ぐ給紙されるようになっている。
【００２２】
また、デジタル複写機１の横搬送路３６や還送路４５には、用紙の先端または後端が通過する際ONまたはOＦＦするスイッチＳＷ１（図１における搬送ローラ３７の上流）、ＳＷ２（図１における定着ローラ１７の下流）、ＳＷ３（図１におけるローラ４６の上流）が設置されており、用紙先端の通過によりＯＮされた後、所定時間内にＯＦＦされない場合、その部分で用紙の重送あるいはジャムが発生していると判断して駆動を停止し、表示部にジャム表示を行うようになっている。前記長尺紙のように搬送方向に長い用紙が搬送される場合は、後に述べるように、操作者が予め長尺紙に出力するモードの設定をすることにより、通常の定型紙に出力するモードのジャム検知が一旦解除されるようになっている。さらに横搬送路３６のレジストローラ１６部分に設けられたＳＷ４がレジストローラ１６の回転スタート（用紙先端がＳＷ４に位置する）から用紙後端がＳＷ４を通過するまでの時間を検知して実際の用紙長を算定し、以後に通過するスイッチの通過時間を補正するため、この時点から実際の長尺紙の長さによるジャム検知が設定され、以後の通紙状態が管理されるようになっている。
【００２３】
また、排紙トレイ１９の外側端には、図２（ｂ）に示すように、長尺紙ホルダー９２がオプションで取り付けられるようになっている。これにより定型用紙の最大長より長い長尺紙が、その前端が排紙トレイ１９の外側端から垂れ下がって落下しないように、逆Ｊ字形状のガイド部材で構成されており、排紙ローラ１８から繰り出される長尺紙先端側を受け入れるようになっている。
【００２４】
次に原稿読取部を、図１および図３を用いて説明する。原稿読取部６は、画像データに変換するスキャナー部７と、原稿をスキャナー部７に供給する原稿搬送装置８により構成されており、光学系を移動させて静置原稿画像を読み取る方法と、本発明の主要部である原稿搬送装置を用いて原稿を移動させながら画像を読取る方法（シートスルー方式）とを実施できる。光学系を移動させて静置原稿画像を読み取るスキャナー部７は、上面に読取窓７１Ａが配置され、照明ランプ、複数のミラー、およびレンズより構成される光学系７２により、読取窓７１Ａに置かれた原稿がスキャンされ、その光学像がＣＣＤ等のイメージセンサ７３に送られて画像データとして読取られる。照明ランプと複数のミラーは、読取窓７１Ａに置かれた原稿をスキャンするために相対的に移動する。
【００２５】
原稿を移動させながら画像を読取るシートスルー方式では、読取窓７１Ａの図面左側に隣接して、紙面の前後方向に細長い読取窓７１Ｂが設けられており、スキャナー部７の光学系７２はこの読取窓７１Ｂの位置にセットされる。そして読み取り時は光学系７２はこの読取窓７１Ｂの位置に停止したまま移動しないようになっている。原稿搬送部８は、スキャナー部７の読取窓７１上部に、読取窓７１を覆う閉位置と読取窓７１を開放する開位置との間で移動自在に取り付けられている。原稿搬送装置８は、中央上部に原稿供給部８１と中央下部に原稿排出部８２を備え、原稿供給部８１から供給された原稿を、略Ｕ字型の原稿搬送路８３を経由して光学系７２が固定された読取窓７１Ｂの位置へ搬送し、原稿排出部８２に排出するようになっている。さらに、原稿供給部８１の上流端（図１右側）には長尺原稿収納部８４が、原稿排出部８２の下流端（図１右側）には長尺原稿収納部８５が取付けられている。
【００２６】
図３を用いて、シートスルー方式で定型原稿を読み取る定型原稿モード（第１のモード）時について詳細説明する。原稿供給部８１は、読み取るべき定型原稿を載置する原稿載置台８１１、定型原稿を１枚ずつ分離しながら給紙するための、給紙中は回転がストップする分離ローラ８１２、給紙方向に回転して最上紙を搬送路８３に送り出す給紙ローラ８１３、原稿を分離ローラ８１２側に寄せる寄せローラ８１４にて構成される。搬送路８３には、ローラ対８３１、８３２、８３３があり、読取窓７１に向けて原稿を搬送する。原稿は、読取窓７１Ｂと当接するプラテン８３４で、イメージセンサ７３が読み取る速度と一致した正規の速度で通過しながら読取られる。スキャナー部７の照明ランプとミラーはプラテン部８３４と対峙する位置に停止しており、原稿が読取速度と同じ速度で移動することにより読取られるようになっている。読取られた原稿は、ローラ対８３５を経て排出ローラ対８２１により、原稿載置台８１１の下部に設けられた原稿排出部８２の排出トレイ８２２へ排出される。
【００２７】
原稿の両面を読み取る場合には、搬送路８３のローラ対８３１、８３２の間にある分岐爪８６１が点線の位置に回動し、原稿先端は、ローラ対８３１を通過した後、搬送路８３の上部に設けられた反転路８６に侵入する。ローラ対８６２は原稿を上部へ送り、原稿後端が分岐爪８６１を通過すると反転して原稿後端をスイッチバックによりローラ対８３２へ送る。ローラ対８３２に原稿後端が挟み込まれるとローラ対８６２が点線のように離間して、原稿はローラ対８３２の搬送力で搬送路８３を搬送される。反転路８６で裏返された原稿は、最初にその裏面が読取窓７１Ｂで正規の速度で読み取られる。さらに排出ローラ対８２１の手前に設けられた分岐爪８７１が点線の位置に回動し、ローラ対８３５を通過した原稿先端は、搬送路８３の排出側と給紙側を繋ぐ還送路８７に侵入する。
【００２８】
還送路８７により給紙側へ還送された原稿先端は、ローラ対８３１と点線の位置に回動している分岐爪８６１により再度反転路８６に侵入し、離間しているローラ対８６２の間を抜けて反転路８６を上昇する。原稿後端が分岐爪８６１を通過すると、ローラ対８６２が圧接して、再度原稿をスイッチバックして搬送路８３の読取窓７１へ搬送する。この状態では読取窓７１Ｂで原稿の表面が正規の速度で読み取られる。原稿先端が排出ローラ対８２１に向かうときには分岐爪８６１は実線の位置に回動しており、原稿は排出ローラ対８２１により排出トレイ８２２へ排出される。
【００２９】
次に、シートスルー方式で長尺原稿を読み取る長尺原稿モード（第２のモード）時の長尺原稿を給紙するしくみについて説明する。長尺原稿収納部８４に長さ方向に巻いた長尺原稿を、紙面を横切る方向に挿入し、原稿先端を操作者が原稿供給部８１まで引き出すことにより給紙させることができる。また、長尺原稿収納部８４が原稿載置台８１１に取付けられる位置に繰出ローラ対８４１を設けて、自動的に原稿供給部８１まで原稿先端を繰り出すようにしてもよい。図３の実施例は繰出ローラ対８４１を設けた例である。さらに繰出ローラ対８４１の上流に原稿先端を検知するセンサ８１９を設けて繰出ローラ対８４１を始動するようにし、原稿供給部８１の原稿検知センサ８１５で原稿先端を検知したら繰り出しをストップするようにしてもよい。
【００３０】
長尺原稿収納部８４は、図３、４で示すように、原稿を巻いた状態で挿入する筒部８４２、原稿先端を原稿供給部８１の原稿載置台８１１に引き出すためのガイドとなる引出ガイド部８４３、原稿載置台８１１に取付けた長尺原稿収納部８４を軸回りに回動させ、原稿搬送装置８の背面側に退避させるための回転軸８４４、長尺原稿収納部８４が装着位置にあるか退避位置にあるか検知するための検知装置８４５により構成されている。筒部８４２にはさらに、巻いた原稿を挿入するためのガイドとなる、筒部８４２の内面が長さ方向手前側に舌状に突き出した形の挿入ガイド８４６、原稿を筒部８４２の奥へ挿入したとき奥側の停止位置となるストッパ８４７、筒部８４２から原稿先端を原稿供給部８１へ引き出すために筒部８４２の長さ方向全体に亘って設けられたスリット８４８が備えられ、前記引出ガイド部８４３がこのスリット８４８に連接している。
【００３１】
図４（ｂ）に、長尺原稿収納部８４を退避位置に回動させる様子を示している。この図のように、筒部８４２、引出ガイド部８４３、検知装置８４５、挿入ガイド８４６、ストッパ８４７、スリット８４８、及び繰出ローラ対８４１の従動ローラ８４９で構成される長尺原稿収納部８４を、回転軸８４４を回転中心として矢印Ｘの方向におよそ９０°回動させて、原稿搬送装置８の背面側（図の上側）に退避させるようにしている。
【００３２】
また回転軸８４４は、長尺原稿収納部８４を原稿載置台８１１に取付ける取付ピンにもなっており、原稿載置台８１１の取付穴８１６に長尺原稿収納部８４が回動自在となるように差込まれている。この回転軸８４４は、原稿載置台８１１側に設けてもよい。また検知装置８４５は、長尺原稿収納部８４を回転軸８４４回りに回動させて原稿載置台８１１の当り部材８１７に当ったことを検出するスイッチのようなものであり、長尺原稿収納部８４が装着位置にある間ＯＮ状態を維持するようになっている。これにより、長尺原稿の読取が実行可能となり、長尺原稿収納部８４が退避位置にある場合はＯＦＦ状態となるため長尺原稿の読取が実行不能となり、定型原稿の読取が実行可能となる。この検知装置８４５は、原稿載置台８１１側に設けることも可能であり、この場合当り部材８１７は長尺原稿収納部８４側に設けられる。
【００３３】
また本実施例では、原稿載置台８１１と引出ガイド部８４３の接合部に繰出ローラ対８４１を設けている。このうち下側のローラは、原稿載置台８１１に軸支され、駆動ローラ８１８として原稿供給部からの駆動力で回転し、上側のローラは引出ガイド部８４３に軸支され、従動ローラ８４９として駆動ローラ８１８により従動する。長尺原稿収納部８４を退避させる際は、駆動ローラ８１８が原稿載置台８１１側に残り、従動ローラ８４９は長尺原稿収納部８４と共に退避される。この引出ローラ対８４１は、両ローラ共原稿載置台８１１側に設けられてもよく、また、長尺原稿収納部８４に両ローラと共に小型のモータを設けて、原稿供給部と別駆動としてもかまわない。
【００３４】
次に長尺原稿のセット方法について図５を用いて説明する。長尺原稿を長尺原稿収納部８４へセットする前に巻く方法として、画像側が内側になるように巻く場合（Ａ）と、画像側が外側になるように巻く場合（Ｂ）とがある。また、長尺原稿収納部８４へのセット方法には、巻きカールに沿った順方向に引き出すようにセットする場合（図５（ａ））と、画像側を外側になるように巻いて巻きカールに逆らう逆方向に引き出すようにセットする場合（図５（ｂ））がある。本発明の装置では上記のいずれの場合も可能であり、長尺原稿収納部８４から画像を上側にして引き出す場合、（Ａ）の巻き方では図５（ａ）のセット方法、（Ｂ）の巻き方では図５（ｂ）のセット方法を採用すれば、長尺原稿を引き出したとき画像面が上になって、原稿供給部８１から搬送路８３を経由して画像面を読取窓７１の方向に向けることができる。このうち図５（ｂ）のセット方法では、筒部のスリットのエッジ部で原稿を巻きとは逆方向にしごいて巻き癖を矯正しながら繰り出せるメリットがある。
【００３５】
上記の図３に示す長尺原稿収納部８４は、引出ガイド部８４３の上側に筒部８４２を設けているが、他の実施形態として、引出ガイド部の下側に筒部を設けるようにしてもよい。図５の（ｃ）（ｄ）では、筒部８４２の上側で、さらに原稿載置台８１１の上部に引出ガイド部８４３を備え、原稿載置台８１１と引出ガイド部８４３の間の隙間から長尺原稿を引き出すようにしている。この場合、原稿の（Ａ）の巻き方には逆方向に引き出す図５（ｄ）のセット方法、原稿の（Ｂ）の巻き方には順方向に引き出す図５（ｃ）のセット方法とすれば、いずれの場合も原稿の画像を上にして引き出すことができる。
【００３６】
本実施例の原稿搬送装置８は、排出トレイ８２２の下流に長尺原稿を巻き取るための長尺原稿収納部８５をさらに備えている。長尺原稿収納部８５は、長尺原稿収納部８４と近似した形をしており、ガイド８４５を備えた繰込ローラ対８５１、その下流に連接する繰込ガイド部８５３、繰込ガイド部８５３の下流上部にさらに連接する筒部８５２を備えている。長尺原稿は繰込ローラ対８５１により、さらにガイド８５５を備えたスリット８５８から筒部８５２の内部へ巻き込まれるようになっている。さらに長尺原稿収納部８５は、長尺原稿収納部８４と同様な機構で原稿搬送装置８の後ろ側へ回動させて退避させることが可能である。さらに長尺原稿収納部８４と同様な検知装置を備えることで、長尺原稿収納部８５のセット状態を長尺原稿モード時に検知できるようにしてもよい。
【００３７】
さらに、原稿搬送装置８の搬送路８３においては、給紙ローラ８１３とローラ対８３１の間、およびローラ対８３２と８３３の間には、用紙の通過状態を検知するスイッチＳＷ５およびＳＷ６が備えられている。特にスイッチＳＷ５は、原稿の先端及び後端の通過時間時間ｔ１、ｔ２を検知している。その時間の差ｔ＝ｔ２−ｔ１が、原稿供給部８１から給紙された所定の定型原稿が所定の速度で通過した場合の設定された時間と比較され、設定された時間よりｔが長ければ、原稿の重送が発生していると判断して、装置を止めてしまうようになっている。長尺原稿のように定型原稿より長い場合には、正常な通過状態においてもこのようなジャム検知が働いてしまい、装置がストップしてしまうため、定型原稿モードにおけるジャム検知を解除してそれを回避するようになっている。
【００３８】
また、本発明の画像読取装置はプレスキャンモードを有している。このモードでは、イメージセンサ７３は画素が間引かれた大雑把な画像として原稿を読み取り、後述するディスプレイにその画像を表示する。イメージセンサ７３によるスキャンは主走査方向、副走査方向とも間引かれるため、読取窓７１Ｂを通過する原稿の速度は通常より速くてよく、例えば通常の２倍の速度で読取窓７１Ｂを通過するようにしている。これに伴い、給紙ローラ８１３、ローラー対８３１、８３２、８３３、８３５、８６２、排紙ローラ対８２１、繰込ローラ対８５１の回転も速くなる。
【００３９】
このプレスキャンモードは、長尺原稿を読み取るモード（第２のモード）の、後述する操作部における設定時に自動的に選択されるようになっている。最初の原稿搬送時（１パス目）にはこのプレスキャンモードによるプレスキャンが行なわれ、ディスプレイにプレスキャン画像が画像の分割線と共に表示される。画像の分割条件が確定された後の２回目の原稿搬送時（２パス目）には、原稿は正規の速度（通常速度）で読取窓７１Ｂを通過しながら読み取られ、確定された分割条件に従って分割されメモリーに保存される。
【００４０】
次に、デジタル複写機１の制御回路構成を説明する。図６は、制御回路構成の概略を示すブロック図である。制御部１００は、原稿読取部６のイメージセンサ７３から読み込まれた画像データをビットマップ等の形態で一時保存する画像メモリー１０１、画像メモリー１０１に保存された画像データに種々の処理を施す画像処理部１０２、処理前或いは処理後の画像データをファイル形式で保存するハードディスク（ＨＤＤ）１０３を含む。またプレスキャンモードで読み取られた画像データもこの画像処理部１０２で処理され、後述する画像表示部１２６に転送される。また、画像読取部６のスキャナー部７や原稿搬送装置８の動作を制御する画像入力制御部１０４（この画像入力制御部１０４は原稿読取部６にあってもよい）、及び画像形成部２や各給紙部３、５の動作を制御する画像出力制御部１０５をも含んでいる。
【００４１】
画像読取部６の原稿搬送装置８には、長尺原稿収納部８４の装着を検知する検知装置８４５があり、画像入力制御部１０４では操作部６からの指示信号や検知装置８４５の検知結果に基いて、定型原稿モードまたは長尺原稿モード（プレスキャン動作を含む）での画像入力（読取）動作の制御が行われる。
前記画像メモリー１０１は、外部のコンピュータ（ＰＣ）１１１からの画像データを、プリンタコントローラ１１２を介して読み込むことができる。また、原稿読取部６からの画像データ、プリンタコントローラ１１２からの画像データ、ＨＤＤ１０３からの画像データを、この画像メモリー１０１からレーザ光学部に送り、レーザの点滅走査信号に変換されて画像形成部２に出力される。
【００４２】
また制御部１００は、図７に示す操作部１２０により操作される。図７においてキー入力部１２１はテンキーによる数値入力部であり、液晶表示部１２２は各種モードの条件等を表示し選択可能になっているタッチパネルである。またこの液晶表示部１２２は、プレスキャン画像を表示する画像表示部１２６（画像表示手段）のディスプレイ１２２にもなっている。そしてこのディスプレイ１２２では、長尺画像の分割線の表示（分割線表示手段）や、表示された分割位置の変更操作（分割線変更手段）が行なえるようになっている。また、分割線で分割された各セクションへの頁番号の付与操作（頁番号付与手段）や隣接した各セクション間で一部重複した糊代部分の形成操作（糊代形成手段）、表示された分割条件の確定のための登録操作（分割登録手段）もこのディスプレイ１２２上で行なわれる。また、長尺記録紙に出力する場合等のため、長尺画像の分割のキャンセル操作や、その際の原稿の全長表示もディスプレイ１２２上で行なわれる。
【００４３】
モード切替部１２３はモードをキー選択できる各種モードキーが並ぶ領域である。このモード切替部１２３には、長尺原稿モード（第２のモード）切換キー１２７（切換手段）、長尺紙モード切換キー１２４が存在する。長尺原稿を読み取る長尺原稿モードに切り換える場合は切換キー１２７を押しこのキーを点灯させ、また定型原稿を読み取る定型原稿モード（第１のモード）に切り換えるときは点灯したこのキーを押して消灯させる。長尺紙に出力する長尺紙モードに切り換えるときは切換キー１２４を押してこのキーを点灯させることによりカット紙を給紙する通常モード状態から手差し給紙部５の長尺紙ホルダー９１から長尺紙を給紙して出力する長尺紙モード状態に切り替わり、これにより一旦通常モードにおけるジャム検知が解除されるようになる。またカット紙を給紙する通常モードへ切り換えるときには切換キー１２４を押して点灯させればよい。その他、画像読取部６での画像読込みや、画像の用紙への出力を開始実行させるスタートキー１２５が、キー入力部１２１に存在する。
【００４４】
次に、デジタル複写機１を用いて実際に長尺原稿を読み取って定型用紙に分割出力する方法を説明する。図８は操作制御を示すフローチャートである。まず操作者は、長尺原稿モードために図７の操作部１２０のモード切替部１２３にある長尺原稿モード切換キー１２７を押す（ステップ符号Ｓ１のＹ）。するとこの時点で、原稿読取部６の動作制御は長尺原稿のものに自動設定される。ジャム検知は長尺原稿モード用に切り替わる。この状態では、デジタル複写機１は、給紙部３から定型用紙を供給して画像形成する（Ｓ２がＮ）。操作部１２０の液晶表示部１２２には「原稿ホルダーをセットしてください」のメッセージが表示されるので、操作者が退避位置にある長尺原稿収納部８４を回動して装着位置にセットする。これにより検知装置８４５が当り部材８１７に当ることによりＯＮされ、長尺原稿収納部８４の装着が検知される（Ｓ３がＹ）。
【００４５】
次に液晶表示部１２２に「原稿をセットしてください」のメッセージが表示される。操作者は、長尺原稿を巻いた状態で長尺原稿収納部８４の挿入ガイド８４６に沿わせて筒部８４２のストッパ８４７まで挿入する。さらにスリット８４８から長尺原稿の先端を表向きに取り出して引出ガイド部８４３上を繰出ローラ対８４１まで引き出すと、センサ８１９が原稿を検知して繰出ローラ対８４１が回転し、長尺原稿の先端を原稿給紙部８１の分離ローラ８１５に位置まで送り出す。原稿先端が分離ローラ８１５位置に到達して原稿検知センサ８１５により検知されると（Ｓ４がＹ）、繰出ローラ対８４１の回転がストップして、液晶表示部１２２に「プレスキャンします。スタートキーを押してください。」のメッセージが表示される。
【００４６】
操作者が操作部１２０のスタートキー１２５をＯＮすると（Ｓ５がＹ）、寄せローラ８１４および給紙ローラ８１３が回転して原稿が給紙される（Ｓ６）。原稿はプレスキャンモードとして通常より速い速度で給紙され、ローラ対８３１、８３２、８３３の順に搬送路８３を通常より速い速度で搬送される。スイッチＳＷ５、６において、原稿先端の通過が検知され、スイッチＳＷ５の検知の所定時間後までにスイッチＳＷ６の検知が成されないと、ジャムと判断され、原稿搬送装置は停止して液晶表示部１２２にジャム表示する。スイッチＳＷ６で用紙先端通過が検知されると、その通過時刻と搬送速度から原稿先端が読取窓７１Ｂに到達する時刻が計算される。この計算された時刻に基きスキャナー部７のイメージセンサ７３における画像読込みがスタートする。またスイッチＳＷ５、６において原稿後端の通過が検知され、上記と同様のジャム判断が成される。またスイッチＳＷ６で原稿の後端通過が検知されると、その時刻に基いて計算された時刻にイメージセンサ７３における画像読込みがストップする。スイッチＳＷ５の原稿検知信号は、その他、長尺原稿の両面を読み取る場合の、反転路８６のローラ対８６２の離間タイミング等の制御に使用される。
【００４７】
原稿が読取窓７１Ｂを通常より速い速度で通過し、光学像が光学系７２によりイメージセンサ７３に送られ、イメージセンサ７３で画素密度の荒いプレスキャン画像として画像データ読み込まれると（Ｓ７）、制御部の画像メモリー１０１を経由して画像処理部１０２でさらに画像圧縮等が成され、画像データは操作部１２０の画像表示部１２６に送られる。ここで液晶表示部１２２の画素密度に変換されてディスプレイ（液晶表示部）１２２にプレスキャン画像として表示される（Ｓ８）。一方、読み取られた原稿は、ローラ対８３５、排出ローラ８２１により原稿排出部８２の排出トレイ８２２に排出される。さらに原稿先端が繰込ローラ８５１に到達すると繰込ローラ８５１によって繰込ガイド部８５３上を長尺原稿収納部８５の筒部８５２の内側に繰込まれ、巻き取られる。
【００４８】
実施例として、Ａ、Ｂ、Ｃ、Ｄの４文字を縦に並べた長尺原稿をプレスキャンし、画像分割等の設定を行なう場合について、その方法を図９を用いて説明する。図９（ａ）は、プレスキャン後にディスプレイ１２２に長尺原稿画像が表示された状態を示している。画面２００には、上部にメッセージ領域２１０、中央部左にプレスキャンされた長尺原稿画像を表示する画像表示領域２２０が配置され、下部には、左から出力用紙を選択する用紙選択領域２３０、長尺画像の分割セクションを調整するための分割線調整領域２４０（分割線変更手段）、分割条件を確定登録するための登録キー２６１（分割登録手段）等を備える領域２６０が配置されている。用紙選択領域２３０には、このデジタル複写機１に装着されている用紙トレイを選択するキー２３１、２３２、２３３、２３４が配置されている。画像表示領域２２０に表示された画像Ｐには、用紙選択領域２３０中の最大用紙の大きさで分割する場合の分割線ａ、ｂが最初画像Ｐ上に表示される。このようにすれば、画像の繋ぎ目が最少になるからである。この場合の用紙選択キー（例えばＡ３キー２３１）は反転表示され、その用紙に出力する場合の画像倍率が領域２６０の倍率表示設定部２６２に表示される。用紙に変更したい場合は他の用紙キーを押せば、その用紙幅に応じた幅基準の倍率変更が成されて倍率表示設定部２６２に表示され、その倍率での分割線が画像Ｐ上に表示される。
【００４９】
図９（ａ）では、Ａ、Ｂ、Ｃ、Ｄの４文字が原稿画像上に並び、画像表示部１２６が設定したのはそれを３分割する形である。このまま分割出力すると文字の途中で分割されることになり見苦しい。このような場合には、分割線調整領域２４０で使用可能な分割線移動キー２４１、２４２を用いて分割線ａ、ｂを各文字間になるように左右に移動させることができる。例えば分割線ａ、ｂを左に移動させて文字間（ＡＢ間とＢＣ間）に移動させると、分割線ｂと画像の右端の距離は最大用紙（Ａ３）長を超えることになる。この時は分割線ｂの右に新たな分割線ｃが形成され、分割線ｃの移動キー２４３が使用可能になる。移動キー２４３にて分割線ｃに位置調整した結果が図９（ｂ）である。この状態で登録キー２６１を押せばこの分割状態が登録されて、以後の分割出力に反映される。
【００５０】
図９（ｂ）で登録キー２５１を押すと、ディスプレイ１２２の画面２００が図９（ｃ）の画面３００に変わる。この画面では、画面２００で設定した分割条件に対し、頁番号設定領域（頁番号付与手段）３４０で頁番号付与の設定を行ない、糊代設定領域（糊代形成手段）３５０で糊代部の設定を行なう。その他の領域（メッセージ領域３１０、画像表示領域３２０、用紙選択領域３３０、領域３６０）は画面２００と同様なので説明を省く。頁番号設定領域３４０では、各分割セクションに頁番号を左から付与して、セクションの隣接関係が判るようにする。頁の数字は、例えば画面縦向き３４１或いは画面横向き３４２の選択が可能で、夫々の向きについて用紙四隅のどこかを選択するようにできる。図９（ｃ）では、各分割領域の左上に左向きの頁数を表示した例を示す。また頁番号が不要な場合は３４３の「なし」を選択すればよい。頁の数字の位置はこの例に限定されず、用紙コーナーの中間でもよく、また頁番号には全頁数を付記するようにしてもよい。
【００５１】
糊代設定領域３５０は、分割された画像を後で繋げることができ、分割された部分の各セクション間の関係把握にも有効なため設けられている。糊代設定領域３５０は、各分割セクションの画面の左右方向どちらかに、分割線の延長としての糊代を任意幅設けることができる設定表示部３５１、および糊代を設けない場合のキャンセルキー３５２で構成されている。設定表示部３５１で設定された糊代域は、画像設定領域３２０の画像Ｐ上に、分割線とは異なる例えば点線で表示される。図９（ｃ）では、分割線の右側に延長して糊代域を幅２０ｍｍも受けた様子を示している。またこの糊代を設けることにより画像を出力した場合の領域が拡大するので、その分画像は縮小される。その縮小率が倍率表示設定部３６２に表示されるようになっている。逆に、縮小率を倍率表示設定部３６２で指定することで、糊代幅を算定することもできる。頁番号と糊代の設定が終了した後、メッセージ領域３１０のメッセージに従って登録キー３６１を押せば（図８のＳ９がＹ）、この設定状態が登録されて、以後の分割出力に反映される（Ｓ１０）。
【００５２】
登録キー３６１を押した後、液晶表示部１２２に「原稿を再セットしてください。」のメッセージが表示され、原稿を長尺原稿収納部８４から取り出し、長尺原稿収納部８５に再度セットしてその先端が原稿供給部８１の給紙位置まで到達すると（Ｓ１１）、「スタートキーを押してください。」のメッセージが表示される。スタートキー１２５が押されると、画像読取部６が本スキャンを開始し（Ｓ１２）、定型原稿の場合と同じ正規の給紙搬送速度で長尺原稿が原稿搬送部８を給紙搬送され、分割画像の読取が実施される（Ｓ１３）。読取窓７１からイメージセンサ７３によって読み込まれた（Ｓ１４）画像データは、制御部１００の画像メモリー１０１に記憶されたあと、画像処理部１０２で設定登録された条件に従い分割処理が成され、画像圧縮等が施されたあと、分割セクション毎の頁が付与された状態でＨＤＤ１０３に一旦格納される（Ｓ１５）。
【００５３】
ＨＤＤ１０３に格納された分割画像データは、制御部の画像メモリー１０１に読み出され、画像形成部２のレーザ光学部１３に転送される。また、給紙部３からこの場合Ａ３用紙が給紙され（Ｓ１６）画像形成部２に搬送されて、読み出された分割画像がその上に画像形成され定着ローラ１７で熱定着された後、排紙トレイ１９に排紙される（Ｓ１７）。以上により、長尺原稿から定型紙への画像分割出力が完了する。
【００５４】
次に長尺原稿を読み取って、デジタル複写機１の手差給紙部５に付加された長尺紙ホルダー９１を用いて長尺原稿の全体を長尺紙に出力する、長尺紙出力モード利用の場合について説明する。
図８に示すフローチャートに従って説明すれば、まず操作者は、操作部１２０のキー入力部１２１にある長尺原稿モード切換キー１２７（Ｓ１がＹ）、及び長尺紙モード切換キー１２４（Ｓ２がＹ）を押す。するとこの時点で、原稿読取部６の動作制御は長尺原稿のものに自動設定され、デジタル複写機１本体は手差し給紙モードのジャム検知解除モード状態に自動設定される。次にメッセージに従って長尺原稿収納部８４を装着位置にセットし（Ｓ１８がＹ）、長尺原稿を長尺原稿収納部８４にセットして原稿先端を原稿給紙部８１の給紙位置の原稿検知センサ８１５の検知位置まで送り出す（Ｓ１９がＹ）。その後スタートキー１２５を押して（Ｓ２０）原稿を正規より遅い速度でプレスキャンさせ（Ｓ２１）、画像をメモリーに読み込んで（Ｓ２２）画像表示部１２６に送り、ディスプレイ１２２に長尺原稿画像を表示させる（Ｓ２３）。以上までは、前述の分割画像の手順とほぼ同じであるので詳細は省く。
【００５５】
図１０にディスプレイ１２２に表示される長尺原稿画像と各設定部を示す。この表示された画面４００は、上部にメッセージ領域４１０、中央部に画像表示領域３２０、下部に左から用紙選択領域４３０、全長表示領域４３０、登録キー４６１および倍率表示設定部４６２を備えた領域４６０が配置されている。画像表示領域４２０には、前記図９で用いたのと同じ長尺原稿の全体がプレスキャンされて、図９（ａ）の画像表示領域２２０から分割線を省いた状態で表示される。用紙選択領域４３０には、長尺紙を給紙する手差しキー４３１のみが表示されている。全長表示領域４３０には、長尺原稿長さを表示する原稿長表示部（原稿長表示手段）４４１があり、長尺原稿の全長をｍｍ単位で表示するようになっている。そして、この長さの長尺紙を準備することで、原稿全体が長尺紙に出力できることになる。長尺紙の長さが短い場合は、領域４６０の倍率表示設定部４６２で縮小設定することができる。また倍率表示設定部４６２で縮小された場合の必要用紙長を原稿長表示部４４１に表示するようにしてもよい。
【００５６】
図１０の条件を確定させるため登録キー４６１を押すと、この設定状態が登録されて、以後の長尺紙への出力に反映される（図８のＳ２４がＹ）。図１０のメッセージ領域４１０のメッセージに従い、全長表示領域４３０で表示された長さの長尺紙をデジタル複写機１の手差給紙部５に取り付けた長尺紙ホルダー９１に挿入して、用紙先端を給紙台５１下流側の給紙位置にセットする（Ｓ２５がＹ）。この給紙位置で用紙先端が検知されると、液晶表示部１２２に「原稿を再セットしてください。」のメッセージが表示される。前記分割読取の場合と同様に原稿を再セットすると、「スタートキーを押してください。」のメッセージが表示される。ここで操作部１２０のスタートキー１２５を押せば、長尺原稿の本スキャンが前記分割読取の場合と同様に開始される（Ｓ２７がＹ）。原稿搬送部８は長尺原稿モードの制御に従って原稿を正規の速度で搬送し（Ｓ２８）、イメージセンサ７３で画像データが読み込まれ（Ｓ２９）、読み込まれた画像データが画像メモリー１０１から画像処理部１０２で圧縮等されたあと、ＨＤＤ１０３に格納される（Ｓ３０）
【００５７】
ＨＤＤ１０３に格納された画像データは、制御部の画像メモリー１０１に読み出され、画像形成部２のレーザ光学部１３に転送される。また、手差給紙部５から長尺紙が給紙され（Ｓ３１）、前述した長尺紙に出力するモードの制御に従い、画像形成部２に搬送されて、読み出された分割画像がその上に画像形成され定着ローラ１７で熱定着された後、排紙トレイ１９に排紙される（Ｓ３２）。以上により長尺原稿から長尺紙に対する出力が完了する。
【００５８】
以上のように本発明は、本実施例においてはデジタル複写機の原稿読取部で実施されているが、そればかりでなく原稿搬送装置を備えた単独のスキャナ等で実施される場合も本発明に含まれる。
また本発明は、上記実施例に拘束されるものではなく、以下のような変形例をも含むものである。
【００５９】
（１）上記実施形態では、長尺原稿を分割出力するときのプレスキャン時のディスプレイ画面で、原稿画像の分割設定する画面と、頁付与および糊代形成の設定画面を分けていたが、１つの画面にこれらを集約してディスプレイに表示しても一向にかまわない。
【００６０】
（２）上記実施形態では、長尺原稿のプレスキャン画面で原稿画像の全体を表示させていたが、スクロールバーと共に原稿画像の一部分を表示させ、原稿画像をスクロールさせながら分割位置を調整するようにしてもよい。このようにすれば、原稿の長さによって表示倍率が変化することが避けられ、原稿画像が見やすくなり、また非常に長い長尺原稿にも対応できるようになる。
【００６１】
（３）本発明は、デジタル複写機ばかりでなく、原稿読取部を備えたプリンタや印刷機など他の画像形成装置でも実施できるものである。また、画像データの保存や分割等の画像処理は、画像形成機器に接続されたコンピュータ上で行ってもよい。
【００６２】
【発明の効果】
以上説明したように、請求項１の本発明によれば、原稿面を読取窓に対向させた状態で通過させながら原稿面の画像を読み取るシートスルー方式の画像読取装置であって、定型原稿を読み取る第１のモードと定型原稿よりも長い長尺原稿を読取る第２のモードとを切り換える切換手段と、前記原稿面の画像をプレスキャンするプレスキャンモードと、前記プレスキャンされた画像を表示するとともにこの表示された画像を所定のサイズで分割する分割線を表示する分割線表示手段を含む画像表示手段とを備え、前記切換手段によって第２のモードに切り換えられたときは前記プレスキャンモードが選択され、前記プレスキャンモードによりプレスキャンされた画像が前記分割線とともに前記画像表示手段により表示されるようにしたので、ユーザーが長尺原稿を分割読取する前にその分割位置が適切かどうか前もって確認でき、不適切な分割がなされた画像を消去したり、無駄なコピーを行なって紙を無駄にするようなことが避けられる。
【００６３】
また請求項２の本発明によれば、請求項１記載の画像読取装置において、前記画像表示手段は、前記分割線の位置を前記所定のサイズから変更する分割線変更手段を備えているので、分割線の位置をディスプレイ上で変更することができ、原稿の先端位置を調整するような手間がかからず省力的で便利である。
【００６４】
また請求項３の本発明によれば、請求項１または２記載の画像読取装置において、前記画像表示手段は、前記分割線で分割された各セクションに頁番号を付与する頁番号付与手段を備えているので、分割された原稿の本来の並び順が一目でわかり、便利である。
【００６５】
また請求項４の本発明によれば、請求項１乃至３記載の画像読取装置において、前記画像表示手段は、前記分割線で分割された隣接した各セクション間で一部重複した糊代部分を形成する糊代形成手段を備えているので、後から繋げて使用する場合の糊代になるばかりでなく。分割位置が図や文章の途中になってしまう場合、分割位置前後のシートに重複部分がコピーされると前後の関係が理解しやすくなる。
【００６６】
また請求項５の本発明によれば、請求項１乃至４記載の画像読取装置において、前記画像表示手段により表示された分割条件を登録する分割登録手段と、前記長尺原稿を本スキャンし前記分割登録手段に登録された分割条件に従って前記各セクションの画像データを分割記憶する分割読取制御手段備えているので、原稿１パス目のプレスキャンで設定した分割条件を２パス目の本スキャンで実施でき、さらに同様の原稿を継続してスキャンする場合は、この登録された条件をプレスキャンなしにそのまま使用することができるため、以降のプレスキャンの手間が省かれる。
【００６７】
また請求項６の本発明によれば、請求項１記載の画像読取装置において、前記画像表示手段は、前記分割線表示手段の表示を解除するとともに前記長尺原稿の全長を表示する原稿長表示手段を備えているので、長尺記録紙の給紙装置を備えた画像形成装置で長尺記録紙に出力する場合には、プレスキャンにより長尺原稿の全長を表示することで、必要な記録紙の長さがわかり、本スキャンの前に記録紙を準備することができる。
【００６８】
また請求項７の本発明によれば、請求項５記載の画像読取装置を備えた画像読取装置において、複数の定型用紙に前記分割読取制御手段により分割記憶された各セクションを分割して出力するようにしたので、ユーザーが長尺原稿を分割読取する前にその分割位置が適切かどうか前もって確認でき、不適切な分割がなされた画像を消去したり、無駄なコピーを行なって紙を無駄にするようなことが避けられる。また、分割線の位置をディスプレイ上で変更することができ、原稿の先端位置を調整するような手間がかからず省力的で便利である。また、分割線で分割された各セクションに頁番号を付与するので、分割された原稿の本来の並び順が一目でわかり、便利である。また、分割位置が図や文章の途中になってしまう場合、分割位置前後のシートに重複部分がコピーされると前後の関係が理解しやすいし、後から繋げて使用する場合の糊代にもなる。また、原稿１パス目のプレスキャンで設定した分割条件を２パス目の本スキャンで実施でき、さらに同様の原稿を継続してスキャンする場合は、この登録された条件をプレスキャンなしにそのまま使用することができるため、以降のプレスキャンの手間が省かれる。
【００６９】
また請求項８の本発明によれば、請求項６記載の画像読取装置を備えた画像読取装置において、単数の長尺紙に前記長尺原稿の全長を出力するようにした長尺紙出力モードを備えているので、長尺記録紙の給紙装置を備えた画像形成装置で長尺記録紙に出力する場合には、プレスキャンにより長尺原稿の全長を表示することで、必要な記録紙の長さがわかり、本スキャンの前に記録紙を準備することができる。
【図面の簡単な説明】
【図１】  本発明の実施の形態に係るデジタル複写機の概略断面図である。
【図２】  図１のデジタル複写機が備える長尺紙ホルダーの斜視図である。
【図３】  図１のデジタル複写機が備える本発明の１実施形態である原稿搬送装置の詳細断面図である。
【図４】  （ａ）図１のデジタル複写機が備える本発明の１実施形態である原稿搬送装置の主要部斜視図である。（ｂ）原稿搬送装置主要部の長尺原稿収納部が退避する状態を説明する平面図である。
【図５】  本発明主要部である長尺原稿収納部への長尺原稿セット方法を説明するための図である。
【図６】  図１のデジタル複写機の制御ブロック図である。
【図７】  図１のデジタル複写機の操作部の概略図である。
【図８】  本発明の実施の形態を説明するためのフローチャートである。
【図９】  本発明のプレスキャンモードにおいて表示されるディスプレイ画面上で、画像の分割設定等を説明するための図である。
【図１０】  本発明のプレスキャンモードにおいて表示されるディスプレイ画面上で、原稿の全長表示等を説明するための図である。
【符号の説明】
１…デジタル複写機（画像形成装置）
６…原稿読取部（画像読取装置）
８…原稿搬送部
７１Ｂ…読取窓
１０４…画像入力制御部
１２４…長尺紙モード切換キー
１２６…画像表示部（画像表示手段）
１２７…長尺原稿モード切換キー（切換手段）
２２０…画像表示領域
２４０…分割線調整領域（分割線変更手段）
２６１…登録キー（分割登録手段）
３４０…頁番号設定領域（頁番号付与手段）
３５０…糊代設定領域（糊代形成手段）
４４０…全長表示領域（原稿長表示手段）
ａ、ｂ、ｃ…分割線
【図１】
0003668162.tif 000002
【図２】
0003668162.tif 000003
【図３】
0003668162.tif 000004
【図４】
0003668162.tif 000005
【図５】
0003668162.tif 000006
【図６】
0003668162.tif 000007
【図７】
0003668162.tif 000008
【図８】
0003668162.tif 000009
【図９】
0003668162.tif 000010
【図１０】
0003668162.tif 000011